(57)【要約】【課題】玩具体を載置可能なエリアを必要に応じて拡大して遊戯の自由度を高めることができるハウス玩具を提供する。【解決手段】ハウス玩具１０は、回動可能に接続された第１玩具本体１１と第２玩具本体１２とによって構成され、各々の載置部１１ａおよび１２ａの上面は玩具体を載置可能な載置面となっている。また、第１玩具本体１１には、第１玩具本体１１に対し第１の位置と第２の位置との間を変位可能な載置部１７が設けられており、載置部１７の上面は玩具体を載置可能な載置面となっている。【選択図】図３
2019072538.tif 000002
【特許請求の範囲】
【請求項１】
玩具体を用いた遊戯に使用されるハウス玩具であって、
第１の玩具本体と、
前記第１の玩具本体に対し閉塞状態と開放状態とに変化できるように前記第１の玩具本体に接続された第２の玩具本体と、
前記第１の玩具本体に回動可能に接続され、前記開放状態において、前記第１の玩具本体に収容された第１の位置から第２の位置に変位可能に設けられた変位部と、
を備え、
前記第１の玩具本体は、前記玩具体を載置可能な第１の載置部を有し、
前記変位部は、前記第２の位置において、前記玩具体を載置可能な第２の載置部を有し、
前記第２の玩具本体は、前記玩具体を載置可能な第３の載置部を有し、
前記第２の載置部は、前記第２の位置にあり、且つ、前記第１の玩具本体への係止により回動が規制された状態において、前記第１の載置部の上面と前記第３の載置部の上面とを連携させることができる、
ハウス玩具。
【請求項２】
前記第１の載置部の上側空間は、遊戯空間となる、
請求項１に記載のハウス玩具。
【請求項３】
前記第１の載置部の一部は、前記第１の玩具本体から張り出す、
請求項１または２に記載のハウス玩具。
【請求項４】
前記第２の載置部は、前記第１の位置にある状態において、その上面が前記第１の載置部によって覆われる、
請求項１〜３のいずれか１項に記載のハウス玩具。
【請求項５】
前記第２の載置部は、前記第２の位置にある状態において、前記第１の載置部によってその上面の一部を覆われるように構成される、
請求項４に記載のハウス玩具。
【請求項６】
前記第２の載置部は、前記第１の位置にある状態において、前記第１の載置部を支持可能である、
請求項１〜５のいずれか１項に記載のハウス玩具。
【請求項７】
前記第２の載置部は、前記第２の位置にある状態において、前記第１の玩具本体外となるように構成される、
請求項１〜６のいずれか１項に記載のハウス玩具。
【請求項８】
前記第１の玩具本体は、前記変位部が前記第１の位置にある状態において、前記変位部の収容位置を規定する部位を有する、
請求項１〜７のいずれか１項に記載のハウス玩具。
【請求項９】
前記変位部は、前記第１の玩具本体は、前記変位部の回動を規制する部位を有する、
請求項１〜８のいずれか１項に記載のハウス玩具。
【請求項１０】
前記変位部は、前記第１の位置にある状態と前記第２の位置にある状態の両方において前記第１の玩具本体の自立を補助するように構成される、
請求項１〜９のいずれか１項に記載のハウス玩具。
【請求項１１】
前記変位部は、階段を模した外観形状を有する、
請求項１〜１０のいずれか１項に記載のハウス玩具。
【請求項１２】
前記第２の玩具本体は、前記第１の玩具本体に回動可能に構成される、
請求項１〜１１のいずれか１項に記載のハウス玩具。
【請求項１３】
前記第２の玩具本体は、前記第１の玩具本体と略同じ外観形状を有する、
請求項１〜１２のいずれか１項に記載のハウス玩具。
【請求項１４】
前記第３の載置部の上側空間は、第２の遊戯空間である、
請求項１〜１３のいずれか１項に記載のハウス玩具。
【請求項１５】
前記第２の遊戯空間には、前記開放状態において揺動可能な揺動部が設けられている、
請求項１４に記載のハウス玩具。
【請求項１６】
前記揺動部の一部は、前記閉塞状態において、前記第１の玩具本体の一部と当接可能である、請求項１５記載のハウス玩具。
【発明の詳細な説明】
【技術分野】
【０００１】
本発明は、玩具体を用いた遊戯に使用されるハウス玩具に関する。
【背景技術】
【０００２】
後記特許文献１には、箱型に形成され、かつ、その前後壁体の少なくとも一方が開閉自在に形成されたハウス本体を有するハウス玩具が開示されている。このハウス玩具は、壁体を開放させた状態で、ハウス本体内等に玩具体を適宜載置することによって所期の遊戯を行うものである。
【０００３】
しかしながら、前記ハウス玩具は、決められたエリアにしか玩具体を載置することができないため、玩具体を載置可能なエリアを必要に応じて拡大して遊戯の自由度を高めるようなことはできない。
【先行技術文献】
【特許文献】
【０００４】
【特許文献１】実開昭６０−０７３６００号公報
【発明の概要】
【発明が解決しようとする課題】
【０００５】
本発明が解決しようとする課題は、玩具体を載置可能なエリアを必要に応じて拡大して遊戯の自由度を高めることができるハウス玩具を提供することにある。
【課題を解決するための手段】
【０００６】
本発明に係るハウス玩具は、玩具体を用いた遊戯に使用されるハウス玩具であって、第１の玩具本体と、前記第１の玩具本体に対し閉塞状態と開放状態とに変化できるように前記第１の玩具本体に接続された第２の玩具本体と、前記第１の玩具本体に回動可能に接続され、前記開放状態において、前記第１の玩具本体に収容された第１の位置から第２の位置に変位可能に設けられた変位部と、を備え、前記第１の玩具本体は、前記玩具体を載置可能な第１の載置部を有し、前記変位部は、前記第２の位置において、前記玩具体を載置可能な第２の載置部を有し、前記第２の玩具本体は、前記玩具体を載置可能な第３の載置部を有し、前記第２の載置部は、前記第２の位置にあり、且つ、前記第１の玩具本体への係止により回動が規制された状態において、前記第１の載置部の上面と前記第３の載置部の上面とを連携させることができる。
【発明の効果】
【０００７】
本発明に係るハウス玩具によれば、玩具体を載置可能なエリアを必要に応じて拡大して遊戯の自由度を高めることができる。
【図面の簡単な説明】
【０００８】
【図１】図１（Ａ）は本発明の第１実施形態に係るハウス玩具の閉塞状態を示す前面図、図１（Ｂ）は同後面図、図１（Ｃ）は同上面図、図１（Ｄ）は同下面図である。
【図２】図２（Ａ）は図１に示したハウス玩具の開放状態（第２の載置部は収容状態）を示す前面図、図２（Ｂ）は同上面図、図２（Ｃ）は同下面図である。
【図３】図３（Ａ）は図１に示したハウス玩具の開放状態（第２の載置部は張出状態）を示す前面図、図３（Ｂ）は同上面図、図３（Ｃ）は同下面図である。
【図４】図４は図１に示したハウス玩具の遊戯方法の説明図である。
【図５】図５（Ａ）は本発明の第２実施形態に係るハウス玩具の開放状態（第２の載置部は張出状態）を示す前面図、図５（Ｂ）は同上面図である。
【図６】図６（Ａ）は本発明の第３実施形態に係るハウス玩具の前面図、図６（Ｂ）は図６（Ａ）に示したハウス玩具における第２の載置部が第２の位置にある状態を示す前面図である。
【発明を実施するための形態】
【０００９】
以下、図１〜図６を用いて、本発明を適用したハウス玩具について説明する。この説明では、便宜上、図１（Ａ）の手前側を前、奥側を後、左側を左、右側を右、上側を上、下側を下と表記し、他の図についてもこれらと同様に表記する。
【００１０】
《第１実施形態：図１〜図４》
まず、図１〜図３を用いて、本発明の第１実施形態に係るハウス玩具１０の構成について説明する。なお、図１はハウス玩具１０の閉塞状態を示し、図２はハウス玩具１０の開放状態（後記第２の載置部１７は第１の位置にある状態）を示し、図３はハウス玩具１０の開放状態（後記第２の載置部１７は第２の位置にある状態）を示す。
【００１１】
図１に示したように、ハウス玩具１０は、第１玩具本体１１と第２玩具本体１２とによって構成されている。ハウス玩具１０は縦向きの卵の下部を平らに取り除いたような外観形状を有しており、第１玩具本体１１と第２玩具本体１２はこの玩具本体１０を１／２に縦割りしたような外観形状を有している。
【００１２】
また、第１玩具本体１１の後面には、孔１３ａを有する第１接続部１３が上下に間隔をおいて２個設けられている。一方、第２玩具本体１２の後面には、各第１接続部１３の孔１３ａに嵌まり込む突起１４ａを上下端に有する第２接続部１４が設けられている。すなわち、第１玩具本体１１と第２玩具本体１２は、２個の孔１４ａおよび２個の突起１３ａの軸線を中心として前後に回動できるように接続されている。
【００１３】
さらに、第１玩具本体１１の前面には、係止用突起１５ａを有する第１係止部１５が設けられている。一方、第２玩具本体１２の前面には、第１係止部１５の係止用突起１５ａが弾性的に係止される第２係止部（係止用突起）１６が設けられている。すなわち、第１玩具本体１１と第２玩具本体１２は、第１係止部１５の係止用突起１５ａを第２係止部１６に係止することによって閉塞状態が維持されるようになっているとともに、指先等で第１係止部１５を弾性変形させて係止用突起１５ａと第２係止部１６との係止を解除することによって開放が許容されるようになっている。
【００１４】
図２に示したように、第１玩具本体１１の内側には上面視形状が略円形を成す第１の載置部１１ａが設けられているとともに、第１玩具本体１１の下端には平らな下面を有する底部１１ｂが設けられている。底部１１ｂの下面視外形は略半円形であるが、後記第２載置部１７の下部１７ｂの下面視外形に対応した内形の露出部１１ｂ１が形成されている。すなわち、第１玩具本体１１の内側空間は、第１の載置部１１ａによって上側空間（遊戯空間）１１ｃと下側空間１１ｄとに仕切られており、第１の載置部１１ａの上面は玩具体を載置可能な載置面となっている。なお、第１の載置部１１ａの上面視形状が略円形であるため、開放状態では第１の載置部１１ａの略１／２が前側に張り出している。ここで、第１の載置部１１ａは、第１玩具本体１１の内側に固定されており、第１玩具本体１１に対して固定された載置部となっている。
【００１５】
一方、第２玩具本体１２の内側には上面視形状が略半円形を成す第３の載置部１２ａが設けられているとともに、第２玩具本体１２の下端には平らな下面を有し、かつ、下面視形状が略半円形を成す底部１２ｂが設けられている。加えて、第３の載置部１２ａと底部１２ｂとの間には、仕切部１２ｃが設けられている。すなわち、第２玩具本体１２の内側空間は、第３の載置部１２ａと仕切部１２ｃとによって上側空間（遊戯空間）１２ｄと引き出し用空間１２ｅと補助空間１２ｆとに仕切られており、第３の載置部１２ａの上面は玩具体を載置可能な載置面となっている。なお、第３の載置部１２ａの上面視形状が略半円形であるため、開放状態では第３の載置部１２ａは前側に張り出していない。ここで、第３の載置部１２ａは、第２玩具本体１２の内側に固定されており、第２玩具本体１２に対して固定された載置部となっている。
【００１６】
さらに、第２玩具本体１２の第３の載置部１２ａの上下方向位置は第１玩具本体１１の第１の載置部１１ａの上下方向位置によりも低く、図１に示した閉塞状態では第１の載置部１１ａの張出部分が遊戯空間１２ｄに収まるようになっている。さらに、引き出し用空間１２ｅには、取っ手１９ａを有する引き出し１９が前後方向に動かせるように収容されている。なお、引き出し用空間１２ｅに収容された引き出し１９の引き出し操作が行えるように、開放状態では取っ手１９ａが前側に張り出している。
【００１７】
図２および図３に示したように、第１玩具本体１１には、第１玩具本体１１に対して第１の位置と第２の位置との間を変位可能に、具体的には収容状態（図２を参照）と張出状態（図３を参照）とに変化できるように第２の載置部１７が設けられている。つまり、第２の載置部１７は、第１玩具本体１１に対して可動であり、第１玩具本体１１に対して可動な載置部となっている。
【００１８】
詳しく述べると、第２の載置部１７の上面視形状は略半円形であり、その上側には曲率半径が小さな上部１７ａが一体的に設けられ、その下側には第１玩具本体１１の底部１１ｂの露出部１１ｂ１の内形（略半径形の一部を平らに取り除いたような内形）に対応した下面視外形を有する下部１７ｂが一体的に設けられている。すなわち、第２の載置部１７の上面（上部１７ａの上面）は玩具体を載置可能な載置面となっているとともに、第２の載置部１７は上部１７ａの存在によって階段を模した外観形状となっている。また、第２の載置部１７の端部には筒状部１７ｃが設けられている。さらに、第２の載置部１７の上部１７ａには、閉塞状態において第２玩具本体１２の引き出し１９の取っ手１９ａを受け入れる凹部１７ｄが設けられている。
【００１９】
さらに、第１玩具本体１１の底部１１ｂの端部にはシャフト１８を支持する下面視外形が略台形を成す凸部１１ｂ２が設けられており、このシャフト１８は第２の載置部１７の筒状部１７ｃが挿入されている。なお、第２玩具本体１２の底部１２ｂの端部には、閉塞状態でこの凸部１１ｂ２が嵌まり込む下面視内形が略台形を成す凹部１２ｂ１が設けられている（図１を参照）。すなわち、第２の載置部１７は、シャフト１８の軸線を中心として前後に回動できるようになっていため、図２に示した収容状態において第２の載置部１７を指先等によって前側に引き出して回動させることによって、図３に示した張出状態（第２の位置にある状態）、具体的には第２の載置部１７の略全体が第１玩具本体１１と第２玩具本体１２との境界の前側に位置した状態に変化させることができる。なお、張出状態にある第２の載置部１７の上部１７ａの上面の上下方向位置は、第２玩具本体１２の第３の載置部１２ａの上面の上下方向位置と略一致している。
【００２０】
つまり、図２に示した開放状態（第２の載置部１７は収容状態）では、第２の載置部１７の下部１７ｂは第１玩具本体１１の底部１１ｂの露出部１１ｂ１に入り込んでいて、下部１７ｂと露出部１１ｂ１との相互接触により、第１玩具本体１１の下側空間１１ｄにおける第２の載置部１７の収容位置が規定されている。また、第２の載置部１７の下部１７ｂの下面は第１玩具本体１１の底部１１ｂの下面と同一平面を構成するようになっているため、収容状態（第１の位置にある状態）にある第２の載置部１７の下部１７ｂの下面は、開放された第１玩具本体１１および第２玩具本体１２の自立を補助するように作用する。さらに、第２の載置部１７は第１玩具本体１１の下側空間１１ｄに略完全に収容されているため、上から見たときに、第２の載置部１７は第１玩具本体１１の第１の載置部１１ａによって覆われている。ここで、第２の載置部１７の上下方向の長さを下側空間１１ｄの上下方向長さと略同じにすることで、第２の載置部１７の上面は、第１の載置部１１ａの下面と接触する。このようにすることにより、第２の載置部１７が第１の載置部１１ａを支持することが可能となる。また、第２の載置部１７の上面が第１の載置部１１ａの下面とわずかに接触していない場合でも、玩具体を第１の載置部１１ａに載置する際等に第１の載置部１１ａにかかる下方向への圧力により第１の載置部１１ａが若干下方に撓んだ場合に、第２の載置部１７の上面が第１の載置部１１ａの下面と接触し、第２の載置部１７が第１の載置部１１ａを支持可能としておくこともできる。つまり、第２の載置部１７は、第１の載置部１１ａに支持可能に設けることができる。
【００２１】
一方、図３に示した開放状態（第２の載置部１７は張出状態）では、第２の載置部１７の下部１７ｂは第１玩具本体１１の底部１１ｂの露出部１１ｂ１から抜け出し、第２の載置部１７の略全体が第１玩具本体１１と第２玩具本体１２との境界の前側に位置している。また、第２の載置部１７の下部１７ｂの下面は第１玩具本体１１の底部１１ｂの下面と同一平面を構成するようになっているため、張出状態にある第２の載置部１７の下部１７ｂの下面は、開放された第１玩具本体１１および第２玩具本体１２の自立を補助するように作用する。さらに、第１玩具本体１１の第１の載置部１１ａの略１／２が前側に張り出しているため、上から見たときに、第２の載置部１７はその一部（筒状部１７ｃおよび近傍部分）が第１の載置部１１ａによって覆われ、他の部分は第１の載置部１１ａから露出している。前述のように、第２の載置部１７の上下方向の長さを下側空間１１ｄの上下方向長さと略同じにすることで、第２の載置部１７の上面の一部は、第１の載置部１１ａの下面と接触する。このようにすることにより、第２の載置部１７が第１の載置部１１ａを支持することが可能となる。また、第２の載置部１７の上面が第１の載置部１１ａの下面とわずかに接触していない場合でも、玩具体を第１の載置部１１ａに載置する際等に第１の載置部１１ａにかかる下方向への圧力により第１の載置部１１ａが若干下方に撓んだ場合に、第２の載置部１７の上面が第１の載置部１１ａの下面と接触し、第２の載置部１７が第１の載置部１１ａを支持可能としておくこともできる。つまり、第２の載置部１７は、張出状態においても、第１の載置部１１ａを支持可能に設けることができる。また、図３のように、第２の載置部１７の略全体が第１玩具本体１１と第２玩具本体１２との境界の前側に位置するときに、第１玩具本体１１の右下部に第２の載置部１７の回動が規制され、第１玩具本体１１に対して第２の載置部１７が係止する。
【００２２】
次に、図４を用い、かつ、図１〜図３を適宜引用して、前記ハウス玩具１０の遊戯方法について説明する。ここで説明する遊戯方法はあくまでも一例であって、前記ハウス玩具１０の遊戯方法を制限するものではない。
【００２３】
遊戯者は、図１に示した閉塞状態にあるハウス玩具１０を、遊戯に使用する玩具体、例えば人形、家具、家電品を模したミニチュア玩具や装飾品等と一緒に遊戯場所に運び、ここでハウス玩具１０を開放して、開放された第１玩具本体１１および第２玩具本体１２を遊戯場所で自立させる（図２を参照）。なお、図１に示した閉塞状態にあるハウス玩具１０は、第１玩具本体１１の遊戯空間１１ｃと第２玩具本体１２の遊戯空間１２ｄとによって閉じられた収納空間が形成されるため、当該収納空間に遊戯に使用する玩具体を収納しておくことも可能である。先に述べたように、図２に示した開放状態（第２の載置部１７は収容状態）では、開放された第１玩具本体１１および第２玩具本体１２の自立が収容状態にある第２の載置部１７の下部１７ｂの下面によって補助されるため、遊戯途中で第１玩具本体１１および第２玩具本体１２の自立が不安定になることはない。
【００２４】
また、図２に示した開放状態（第２の載置部１７は収容状態）では、第１玩具本体１１の第１の載置部１１ａの上面と第２玩具本体１２の第３の載置部１２の上面を玩具体を載置可能な載置面として使用できるため、遊戯者は、図４に示したような玩具体（ＰＴ１は人形を例示、ＰＴ２はベッドを例示）を第１の載置部１１ａおよび第３の載置部１２ａの上面に適宜載置して所期の遊戯を行うことができる。
【００２５】
この遊戯の際に玩具体を載置可能なエリアを拡大する必要が生じた場合には、図２に示した開放状態（第２の載置部１７は収容状態）で収容状態にある第２の載置部１７を指先等によって前側に引き出して回動させることによって、第２の載置部１７を張出状態に変化させる（図３を参照）。先に述べたように、図３に示した開放状態（第２の載置部１７は張出状態）でも第１玩具本体１１および第２玩具本体１２の自立は張出状態にある第２の載置部１７の下部１７ｂの下面によって補助されるため、遊戯途中で第１玩具本体１１および第２玩具本体１２の自立が不安定になることはない。
【００２６】
第２の載置部１７を収容状態（第１の位置にある状態）から張出状態（第２の位置にある状態）に変化させると、第１玩具本体１１の第１の載置部１１ａの上面と第２玩具本体１２の第３の載置部１２の上面に加えて、第２の載置部１７の上面（上部１７ａの上面）も玩具体を載置可能な載置面として使用できるようになる。すなわち、玩具体を載置可能なエリアが拡大されるため、遊戯者は、図４に示したような玩具体（ＰＴ１は人形を例示、ＰＴ２はベッドを例示）を第１の載置部１１ａおよび第３の載置部１２ａの上面と第２の載置部１７の上面に適宜載置して所期の遊戯を行ことができる。
【００２７】
次に、前記ハウス玩具１０によって得られる効果について説明する。
【００２８】
第１玩具本体１１に対して変位可能に設けられた第２の載置部１７を使用することによって、玩具体を載置可能なエリアを必要に応じて拡大して遊戯の自由度を高めることができる。
【００２９】
また、第２の載置部１７は第１玩具本体１１に対し収容状態と張出状態とに変化できるため、第２の載置部１７を使用しないときに当該第２の載置部１７が遊戯の邪魔になることがない。
【００３０】
さらに、第２の載置部１７は、収容状態と張出状態の両方において開放された第１玩具本体１１および第２玩具本体１２の自立を補助するため、遊戯途中で第１玩具本体１１および第２玩具本体１２の自立が不安定になることはない。
【００３１】
さらに、第２の載置部１７は、収容状態と張出状態の両方において、第１の載置部１１ａを支持可能であることで、遊戯時に第１の載置部１１ａにある程度の圧力がかかったとしても第１の載置部１１ａの破損を抑制することができる。特に、本実施の形態のように、第１の載置部１１ａの一部が前側に張り出している場合、第１の載置部１１ａの張出部分がより破損し易くなるため、第２の載置部１７が第１の載置部１１ａを支持可能に設けておくことが有効になる。
【００３２】
さらに、第２の載置部１７は回動操作によって収容状態から張出状態に変化、または、張出状態から収容状態に変化させることができるため、両変化に伴う操作を簡単に行うことができる。
【００３３】
さらに、第２の載置部１７は階段を模した外観形状を有しているため、第２の載置部１７を張出状態に変化させても、開放された第１玩具本体１１および第２玩具本体１２の見栄え、すなわち、開放状態のハウス玩具１０の見栄えを損ねることはない。また、第２の載置部１７を張出状態（第２の位置にある状態）に変化させた場合、ハウス玩具１０における玩具体の載置面として、第１玩具本体１１の第１の載置部１１ａの上面と、第２玩具本体１２の第３の載置部１２の上面とを連携させることができるため、より遊戯性を向上させることができる。さらに、図２に示した開放状態（第２の載置部１７は収容状態）で収容状態にある第２の載置部１７を指先等によって前側に引き出す場合、指先が侵入可能な下側空間１１ｄが存在することにより、引き出す動作が容易に実行可能となる。
【００３４】
《第２実施形態：図５》
図５は、本発明の第２実施形態に係るハウス玩具１０-1を示す。このハウス玩具１０-1が前記ハウス玩具１０と異なるところは、
・第２玩具本体１２の遊戯空間１２ｄに揺動部（例えばブランコ）２０を配置した点
にある。他の構成は前記ハウス玩具１０と同じであるため、同一符号を用いてその説明を省略する。
【００３５】
相違点について詳しく述べると、第２玩具本体１２の遊戯空間１２ｄには、孔１２ｇ１を有する計２個の支持部１２ｇが左右方向で向き合うように設けられている。また、揺動部２０は、各支持部１２ｇの孔１２ｇ１に嵌まり込む突起２１ａを左右端に有するメインシャフト部２１と、メインシャフト２１に下向きに設けられた計２本のサブシャフト部２２と、両サブシャフト２２に設けられた着座部２３とを一体的に有している。すなわち、揺動部２０は２個の孔１２ｇ１および２個の突起２１ａの軸線を中心として前後に揺動（回動）できるようになっており、着座部２３の上面は玩具体を載置可能な載置面となっている。なお、着座部２３の周囲には、その上面に載置された玩具体の落下を防止するための壁部を設けても良い。
【００３６】
このハウス玩具１０-1にあっては、第１玩具本体１１の第１の載置部１１ａの上面と第２玩具本体１２の第３の載置部１２ａの上面および揺動部２０の着座部２３の上面を玩具体を載置可能な載置面として使用できる他、第２の載置部１７を収容状態から張出状態に変化させることによって当該第２の載置部１７の上面（上部１７ａの上面）をも玩具体を載置可能な載置面として利用することができる。
【００３７】
また、図１に示した閉塞状態で第２玩具本体１２の遊戯空間１２ｄに収まるようになっている第１玩具本体１１の第１の載置部１１ａの上面を、第２玩具本体１２に設けた揺動部２０の着座部２３の下面と当接可能に調整しておけば、ハウス玩具１０を持ち運ぶ際等において、図１に示した閉塞状態で揺動部２０が揺動（回動）することを防止すると共に、第１玩具本体１１の内壁等への衝突による音の発生を防止することもできる。
【００３８】
なお、ハウス玩具１０-1で得られる他の効果は、前記ハウス玩具１０で得られる効果と同じであるため、その説明を省略する。
【００３９】
《第３実施形態：図６》
図６は、本発明の第３実施形態に係るハウス玩具１０-2を示す。このハウス玩具１０-2が前記ハウス玩具１０と異なるところは、
・第２玩具本体１２を排除し、第１接続部１３、第２接続部１４、第１係止部１５および
第２係止部１６を排除し、引き出し１９を排除した点
にある。他の構成は前記ハウス玩具１０と同じであるため、同一符号を用いてその説明を省略する。
【００４０】
なお、ハウス玩具１０-2で得られる他の効果は、第２玩具本体１２を有しない観点では前記ハウス玩具１０で得られる効果と同じであるため、その説明を省略する。
【００４１】
《他の実施形態：図無し》
（Ｍ１）第１実施形態および第２実施形態に係るハウス玩具１０および１０-1として縦向きの卵の下部を平らに取り除いたような外観形状を有するものを示したが、ハウス玩具の外観形状は他の外観形状、例えば球体の下部を平らに取り除いたような外観形状や、円柱形または角柱形の外観形状や、円錐台形や角錐台形の外観形状等であっても良い。また、第１玩具本体１１と第２玩具本体１２の外観形状も、前記の他の外観形状の場合を含め、ハウス玩具を非対称の外観形状に分割したようなものであっても良い。さらに、第３実施形態に係るハウス玩具１０-2の玩具本体１１の外観形状についても、前記の第１玩具本体の外観形状に準じた他の外観形状としても良い。
【００４２】
（Ｍ２）第１実施形態、第２実施形態および第３実施形態に係るハウス玩具１０、１０-1および１０-2の第２の載置部１７として上面視形状が略半円形のものを示したが、第２の載置部１７の上面視形状は他の上面視形状を有するものであっても良い。すなわち、第１玩具本体１１に対し収容状態と張出状態とに変化（第１の位置と第２の位置との間を変位）できるように構成されていれば、第２の載置部１７の上面視形状および外観形状に特段の制限はない。
【００４３】
１０，１０-1，１０-2…ハウス玩具、１１…第１玩具本体、１１ａ…第１の載置部、１１ｂ…底部、１１ｂ１…露出部、１１ｃ…遊戯空間、１１ｄ…下側空間、１２…第２玩具本体、１２ａ…第３の載置部、１２ｂ…底部、１２ｃ…仕切部、１２ｄ……遊戯空間、１２ｅ…引き出し用空間、１３…第１接続部、１４…第２接続部、１５…第１係止部、１６…第２係止部、１７…第２の載置部、１７ａ…上部、１７ｂ…下部、１７ｃ…筒状部、１８…シャフト、１９…引き出し、ＰＴ１，ＰＴ２…玩具体、１９…引き出し、１９ａ…取っ手、２０…揺動部（ブランコ）。
【図１】
2019072538.tif 000003
【図２】
2019072538.tif 000004
【図３】
2019072538.tif 000005
【図４】
2019072538.tif 000006
【図５】
2019072538.tif 000007
【図６】
2019072538.tif 000008